(57)【要約】【課題】聞き手の反応に応じて効果的なプレゼンテーションを行うことができるプレゼンテーション資料生成装置、プレゼンテーション資料生成システム、コンピュータプログラム及びプレゼンテーション資料生成方法を提供する。【解決手段】コンテンツが配置された複数のスライドで構成されるプレゼンテーション用の資料を生成するプレゼンテーション資料生成装置であって、コンテンツと該コンテンツを特定する特定情報とを関連付けたコンテンツ情報を記憶するコンテンツ情報記憶部と、表示されたスライドに対する聞き手の状態が所定状態であるか否かを判定する判定部と、判定結果及び表示されたスライドのコンテンツに係る特定情報に基づいて、コンテンツ情報記憶部から所要のコンテンツを抽出する抽出部と、抽出したコンテンツを配置して、表示されたスライドの次に表示するスライドを生成する生成部とを備える。【選択図】図１
2018055270.tif 000002
【特許請求の範囲】
【請求項１】
コンテンツが配置された複数のスライドで構成されるプレゼンテーション用の資料を生成するプレゼンテーション資料生成装置であって、
コンテンツと該コンテンツを特定する特定情報とを関連付けたコンテンツ情報を記憶するコンテンツ情報記憶部と、
表示されたスライドに対する聞き手の状態が所定状態であるか否かを判定する判定部と、
該判定部での判定結果及び前記表示されたスライドのコンテンツに係る特定情報に基づいて、前記コンテンツ情報記憶部から所要のコンテンツを抽出する抽出部と、
該抽出部で抽出したコンテンツを配置して、前記表示されたスライドの次に表示するスライドを生成する生成部と
を備えることを特徴とするプレゼンテーション資料生成装置。
【請求項２】
前記コンテンツ情報記憶部は、
前記特定情報毎にコンテンツの表示順位を割り当てて記憶し、
前記抽出部は、
前記判定部で聞き手の状態が所定状態であると判定し、前記表示されたスライドのコンテンツに係る特定情報と同じ特定情報で特定されるコンテンツを抽出する場合、前記表示順位に基づいてコンテンツを抽出することを特徴とする請求項１に記載のプレゼンテーション資料生成装置。
【請求項３】
前記抽出部は、
前記表示されたスライドのコンテンツの表示順位の次の表示順位が、該コンテンツに係る特定情報に割り当てられている場合、該特定情報と同じ特定情報で特定されるとともに前記次の表示順位が割り当てられたコンテンツを抽出することを特徴とする請求項２に記載のプレゼンテーション資料生成装置。
【請求項４】
前記コンテンツ情報記憶部は、
聞き手の性別又は年齢の少なくとも一つを含む属性毎にコンテンツ情報を記憶し、
前記抽出部は、
聞き手の属性に係るコンテンツ情報に基づいてコンテンツを抽出する請求項１から請求項３のいずれか一項に記載のプレゼンテーション資料生成装置。
【請求項５】
一の特定情報で特定されるコンテンツから他の特定情報で特定されるコンテンツへの表示優先度を記憶する表示優先度記憶部を備え、
前記抽出部は、
前記判定部で聞き手の状態が所定状態であると判定し、前記表示されたスライドのコンテンツに係る特定情報と異なる特定情報で特定されるコンテンツを抽出する場合、前記表示優先度に基づいてコンテンツを抽出することを特徴とする請求項２から請求項４のいずれか一項に記載のプレゼンテーション資料生成装置。
【請求項６】
前記抽出部は、
前記表示されたスライドのコンテンツの表示順位の次の表示順位が、該コンテンツに係る特定情報に割り当てられていない場合、該特定情報と異なる特定情報で特定されるとともに前記表示優先度に基づくコンテンツを抽出することを特徴とする請求項５に記載のプレゼンテーション資料生成装置。
【請求項７】
前記表示優先度記憶部は、
聞き手の性別又は年齢の少なくとも一つを含む属性毎に表示優先度を記憶し、
前記抽出部は、
聞き手の属性に係る表示優先度に基づいてコンテンツを抽出する請求項５又は請求項６に記載のプレゼンテーション資料生成装置。
【請求項８】
前記判定部で表示されたスライドに対する聞き手の状態が所定状態であると判定し、前記表示されたスライドのコンテンツに係る他の特定情報と、前記表示されたスライドの前に表示されたスライドのコンテンツに係る一の特定情報とが異なる場合、前記一の特定情報で特定されるコンテンツから前記他の特定情報で特定されるコンテンツへの表示優先度を大きくすべく更新する表示優先度更新部を備えることを特徴とする請求項５から請求項７のいずれか一項に記載のプレゼンテーション資料生成装置。
【請求項９】
コンテンツの数及び種類の少なくとも一つに対応付けた配置情報を記憶する配置情報記憶部と、
前記抽出部で抽出したコンテンツ及び前記配置情報に基づいて該コンテンツの配置を決定する決定部と
を備えることを特徴とする請求項１から請求項８のいずれか一項に記載のプレゼンテーション資料生成装置。
【請求項１０】
前記決定部は、
聞き手の性別又は年齢の少なくとも一つを含む属性に基づいてコンテンツの配置を決定する請求項９に記載のプレゼンテーション資料生成装置。
【請求項１１】
前記所定状態は、
聞き手が興味を示す状態又は理解を示す状態の少なくとも一方を含むことを特徴とする請求項１から請求項１０のいずれか一項に記載のプレゼンテーション資料生成装置。
【請求項１２】
前記判定部での判定結果に基づいて、前記表示されたスライドの表示時間を変更する変更部を備えることを特徴とする請求項１から請求項１１のいずれか一項に記載のプレゼンテーション資料生成装置。
【請求項１３】
請求項１から請求項１２のいずれか一項に記載のプレゼンテーション資料生成装置と、該プレゼンテーション資料生成装置が生成したスライドを表示する表示装置とを備えることを特徴とするプレゼンテーション資料生成システム。
【請求項１４】
聞き手を撮像する撮像装置を備え、
該撮像装置又は前記プレゼンテーション資料生成装置のいずれかは、
前記撮像装置で撮像して得られた聞き手の画像に基づいて聞き手の状態を取得することを特徴とする請求項１３に記載のプレゼンテーション資料生成システム。
【請求項１５】
コンピュータに、コンテンツが配置された複数のスライドで構成されるプレゼンテーション用の資料を生成させるためのコンピュータプログラムであって、
コンピュータに、
表示されたスライドに対する聞き手の状態が所定状態であるか否かを判定する処理と、
該判定する処理の判定結果及び前記表示されたスライドのコンテンツに係る特定情報に基づいて、コンテンツと該コンテンツを特定する特定情報とを関連付けたコンテンツ情報から所要のコンテンツを抽出する処理と、
抽出したコンテンツを配置して、前記表示されたスライドの次に表示するスライドを生成する処理と
を実行させることを特徴とするコンピュータプログラム。
【請求項１６】
コンテンツが配置された複数のスライドで構成されるプレゼンテーション用の資料を生成するプレゼンテーション資料生成方法であって、
表示されたスライドに対する聞き手の状態が所定状態であるか否かを判定し、
判定結果及び前記表示されたスライドのコンテンツに係る特定情報に基づいて、コンテンツと該コンテンツを特定する特定情報とを関連付けたコンテンツ情報から所要のコンテンツを抽出し、
抽出されたコンテンツを配置して、前記表示されたスライドの次に表示するスライドを生成することを特徴とするプレゼンテーション資料生成方法。
【発明の詳細な説明】
【技術分野】
【０００１】
本発明は、プレゼンテーション資料生成装置、プレゼンテーション資料生成システム、コンピュータプログラム及びプレゼンテーション資料生成方法に関する。
【背景技術】
【０００２】
商品の販売を促進すべく商品を紹介するための様々な手法が用いられている。例えば、インターネット上での公開やテレビ放送での広告、あるいは店頭や会場でのプレゼンテーションなどが行われている。
【０００３】
店頭や会場でのプレゼンテーションの場合、聞き手の反応に応じてプレゼンテーションの内容を変更することができれば、商品の販売を一層促進することが可能となる。しかし、聞き手の反応ごとに、予めプレゼンテーションの資料を準備しておくことは、資料作成に係る労力が増加し、作業コストも増加する。
【０００４】
一方で、ユーザの反応を用いるものとして、ユーザの音声入力の音声態様に基づいてユーザの応答処理に対する反応を評価し、評価結果に基づいて応答情報の優先度を変更することにより、ユーザの好みに応じた応答情報を選択して、ユーザとの間の円滑なコミュニケーションを図ることができる対話装置が開示されている（特許文献１参照）。
【先行技術文献】
【特許文献】
【０００５】
【特許文献１】特開２０１５−１３８１４７号公報
【発明の概要】
【発明が解決しようとする課題】
【０００６】
しかし、特許文献１のような装置にあっては、聞き手の反応に応じてリアルタイムでプレゼンテーションの内容を変更することはできないので、効果的なプレゼンテーションを行うことができない。
【０００７】
本発明は、斯かる事情に鑑みてなされたものであり、聞き手の反応に応じて効果的なプレゼンテーションを行うことができるプレゼンテーション資料生成装置、該プレゼンテーション資料生成装置を備えるプレゼンテーション資料生成システム、前記プレゼンテーション資料生成装置を実現するためのコンピュータプログラム及びプレゼンテーション資料生成方法を提供することを目的とする。
【課題を解決するための手段】
【０００８】
本発明の実施の形態に係るプレゼンテーション資料生成装置は、コンテンツが配置された複数のスライドで構成されるプレゼンテーション用の資料を生成するプレゼンテーション資料生成装置であって、コンテンツと該コンテンツを特定する特定情報とを関連付けたコンテンツ情報を記憶するコンテンツ情報記憶部と、表示されたスライドに対する聞き手の状態が所定状態であるか否かを判定する判定部と、該判定部での判定結果及び前記表示されたスライドのコンテンツに係る特定情報に基づいて、前記コンテンツ情報記憶部から所要のコンテンツを抽出する抽出部と、該抽出部で抽出したコンテンツを配置して、前記表示されたスライドの次に表示するスライドを生成する生成部とを備えることを特徴とする。
【０００９】
本発明の実施の形態に係るプレゼンテーション資料生成装置は、前記コンテンツ情報記憶部は、前記特定情報毎にコンテンツの表示順位を割り当てて記憶し、前記抽出部は、前記判定部で聞き手の状態が所定状態であると判定し、前記表示されたスライドのコンテンツに係る特定情報と同じ特定情報で特定されるコンテンツを抽出する場合、前記表示順位に基づいてコンテンツを抽出することを特徴とする。
【００１０】
本発明の実施の形態に係るプレゼンテーション資料生成装置は、前記抽出部は、前記表示されたスライドのコンテンツの表示順位の次の表示順位が、該コンテンツに係る特定情報に割り当てられている場合、該特定情報と同じ特定情報で特定されるとともに前記次の表示順位が割り当てられたコンテンツを抽出することを特徴とする。
【００１１】
本発明の実施の形態に係るプレゼンテーション資料生成装置は、前記コンテンツ情報記憶部は、聞き手の性別又は年齢の少なくとも一つを含む属性毎にコンテンツ情報を記憶し、前記抽出部は、聞き手の属性に係るコンテンツ情報に基づいてコンテンツを抽出する。
【００１２】
本発明の実施の形態に係るプレゼンテーション資料生成装置は、一の特定情報で特定されるコンテンツから他の特定情報で特定されるコンテンツへの表示優先度を記憶する表示優先度記憶部を備え、前記抽出部は、前記判定部で聞き手の状態が所定状態であると判定し、前記表示されたスライドのコンテンツに係る特定情報と異なる特定情報で特定されるコンテンツを抽出する場合、前記表示優先度に基づいてコンテンツを抽出することを特徴とする。
【００１３】
本発明の実施の形態に係るプレゼンテーション資料生成装置は、前記抽出部は、前記表示されたスライドのコンテンツの表示順位の次の表示順位が、該コンテンツに係る特定情報に割り当てられていない場合、該特定情報と異なる特定情報で特定されるとともに前記表示優先度に基づくコンテンツを抽出することを特徴とする。
【００１４】
本発明の実施の形態に係るプレゼンテーション資料生成装置は、前記表示優先度記憶部は、聞き手の性別又は年齢の少なくとも一つを含む属性毎に表示優先度を記憶し、前記抽出部は、聞き手の属性に係る表示優先度に基づいてコンテンツを抽出する。
【００１５】
本発明の実施の形態に係るプレゼンテーション資料生成装置は、前記判定部で表示されたスライドに対する聞き手の状態が所定状態であると判定し、前記表示されたスライドのコンテンツに係る他の特定情報と、前記表示されたスライドの前に表示されたスライドのコンテンツに係る一の特定情報とが異なる場合、前記一の特定情報で特定されるコンテンツから前記他の特定情報で特定されるコンテンツへの表示優先度を大きくすべく更新する表示優先度更新部を備えることを特徴とする。
【００１６】
本発明の実施の形態に係るプレゼンテーション資料生成装置は、コンテンツの数及び種類の少なくとも一つに対応付けた配置情報を記憶する配置情報記憶部と、前記抽出部で抽出したコンテンツ及び前記配置情報に基づいて該コンテンツの配置を決定する決定部とを備えることを特徴とする。
【００１７】
本発明の実施の形態に係るプレゼンテーション資料生成装置は、前記決定部は、聞き手の性別又は年齢の少なくとも一つを含む属性に基づいてコンテンツの配置を決定する。
【００１８】
本発明の実施の形態に係るプレゼンテーション資料生成装置は、前記所定状態は、聞き手が興味を示す状態又は理解を示す状態の少なくとも一方を含むことを特徴とする。
【００１９】
本発明の実施の形態に係るプレゼンテーション資料生成装置は、前記判定部での判定結果に基づいて、前記表示されたスライドの表示時間を変更する変更部を備えることを特徴とする。
【００２０】
本発明の実施の形態に係るプレゼンテーション資料生成システムは、前述の発明の実施の形態に係るプレゼンテーション資料生成装置と、該プレゼンテーション資料生成装置が生成したスライドを表示する表示装置とを備えることを特徴とする。
【００２１】
本発明の実施の形態に係るプレゼンテーション資料生成システムは、聞き手を撮像する撮像装置を備え、該撮像装置又は前記プレゼンテーション資料生成装置のいずれかは、前記撮像装置で撮像して得られた聞き手の画像に基づいて聞き手の状態を取得することを特徴とする。
【００２２】
本発明の実施の形態に係るコンピュータプログラムは、コンピュータに、コンテンツが配置された複数のスライドで構成されるプレゼンテーション用の資料を生成させるためのコンピュータプログラムであって、コンピュータに、表示されたスライドに対する聞き手の状態が所定状態であるか否かを判定する処理と、該判定する処理の判定結果及び前記表示されたスライドのコンテンツに係る特定情報に基づいて、コンテンツと該コンテンツを特定する特定情報とを関連付けたコンテンツ情報から所要のコンテンツを抽出する処理と、抽出したコンテンツを配置して、前記表示されたスライドの次に表示するスライドを生成する処理とを実行させることを特徴とする。
【００２３】
本発明の実施の形態に係るプレゼンテーション資料生成方法は、コンテンツが配置された複数のスライドで構成されるプレゼンテーション用の資料を生成するプレゼンテーション資料生成方法であって、表示されたスライドに対する聞き手の状態が所定状態であるか否かを判定し、判定結果及び前記表示されたスライドのコンテンツに係る特定情報に基づいて、コンテンツと該コンテンツを特定する特定情報とを関連付けたコンテンツ情報から所要のコンテンツを抽出し、抽出されたコンテンツを配置して、前記表示されたスライドの次に表示するスライドを生成することを特徴とする。
【発明の効果】
【００２４】
本発明によれば、聞き手の反応に応じて効果的なプレゼンテーションを行うことができる。
【図面の簡単な説明】
【００２５】
【図１】本実施の形態のプレゼンテーション資料生成システムの構成の一例を示す説明図である。
【図２】本実施の形態のプレゼンテーション資料生成装置が判定する聞き手の状態の一例を示す説明図である。
【図３】本実施の形態のコンテンツＤＢの構成要素の一例を示す説明図である。
【図４】本実施の形態のレイアウトＤＢの構成要素の一例を示す説明図である。
【図５】レイアウトの一例を示す説明図である。
【図６】本実施の形態のコンテンツ優先度ＤＢの構成要素の一例を示す説明図である。
【図７】本実施の形態のプレゼンテーション資料生成装置によるプレゼンテーション用の資料の生成方法の一例を示す説明図である。
【図８】本実施の形態のプレゼンテーション資料生成装置によるプレゼンテーション用の資料の生成方法の一例を示す説明図である。
【図９】本実施の形態のプレゼンテーション資料生成装置によるプレゼンテーション用の資料の生成方法の一例を示す説明図である。
【図１０】本実施の形態のプレゼンテーション資料生成装置による処理手順の一例を示すフローチャートである。
【図１１】本実施の形態のプレゼンテーション資料生成装置による処理手順の一例を示すフローチャートである。
【発明を実施するための形態】
【００２６】
以下、本発明を実施の形態を図面に基づいて説明する。図１は本実施の形態のプレゼンテーション資料生成システム１００の構成の一例を示す説明図である。本実施の形態のプレゼンテーション資料生成システム１００は、プレゼンテーション資料生成装置５０、人型ロボット１０及び表示装置２０などを備える。人型ロボット１０及び表示装置２０は、所定の通信回線（無線でも有線でもよい）を介してプレゼンテーション資料生成装置５０に接続されている。人型ロボット１０は、撮像装置としてのカメラ１１、不図示の音声出力部などを備える。
【００２７】
まず、プレゼンテーション用の資料について説明する。プレゼンテーション用の資料は、複数のスライド（１頁分の資料）で構成され、各スライドは、１又は複数のコンテンツで構成され、各コンテツが１枚のスライド上で配置されている。コンテンツは、例えば、タイトル、説明及びセリフなどの文字、並びに絵図を含む。なお、セリフは音声によって出力することができる。キーワード（特定情報とも称する）は、コンテンツを特定するものであり、どのような情報のコンテンツであるかを示すものである。例えば、コンテンツが商品情報に関するものである場合、キーワードは、商品Ａ、商品Ｂの如くとすることができる。また、コンテンツ情報は、キーワードとコンテンツとを関連付けた情報であり、例えば、キーワードが商品Ａであるコンテンツには、コンテンツ情報には、商品Ａに関するタイトル、説明、セリフ及び絵図の少なくとも一つが含まれる。また、各コンテンツの内容（例えば、タイトル、説明、セリフ及び絵図それぞれの具体的な内容）もキーワードに関連付けられる。
【００２８】
表示装置２０は、プレゼンテーション資料生成装置５０が生成するプレゼンテーション用の資料を表示する。
【００２９】
人型ロボット１０は、表示装置２０（表示装置２０の表示画面）に表示された資料（スライド）についての説明（セリフ）を音声出力することができる。また、カメラ１１は、プレゼンテーションの聞き手（１人でもよく複数人でもよい）の顔又は上半身等を撮像し、撮像して得られた画像に対して所定の画像処理を行うことによって、聞き手のジェスチャ（例えば、うなずき、首かしげ等）又は表情（例えば、笑顔、無表情等）などの情報を取得し、取得した情報をプレゼンテーション資料生成装置５０へ出力する。なお、人型ロボット１０の代わりに、人（説明者）が説明してもよい。また、カメラ１１は、人型ロボット１０に搭載していなくてもよい。また、表示装置２０に代えて、人型ロボット１０に表示装置を設ける構成であってもよい。
【００３０】
プレゼンテーション資料生成装置５０は、装置全体を制御する制御部５１、状態判定部５２、抽出部５３、生成部５４、更新部５５、レイアウト決定部５６、コンテンツＤＢ５７、レイアウトＤＢ５８、コンテンツ優先度ＤＢ５９、及びインタフェース部６０などを備える。なお、プレゼンテーション資料生成装置５０は、１又は複数のサーバで構成することができる。また、プレゼンテーション資料生成装置５０に代えて、外部のデータベースサーバ（不図示）が、コンテンツＤＢ５７、レイアウトＤＢ５８及びコンテンツ優先度ＤＢ５９などのデータベースを備える構成であってもよい。
【００３１】
インタフェース部６０は、人型ロボット１０及び表示装置２０との間の通信機能を有する。インタフェース部６０は、カメラ１１で得られた聞き手の情報（ジェスチャ、表情など）を取得する。また、インタフェース部６０は、表示装置２０で表示するためのプレゼンテーション用の資料に係る情報を表示装置２０へ出力する。
【００３２】
状態判定部５２は、判定部としての機能を有し、表示装置２０に表示されたスライド（例えば、表示中のスライド）に対する聞き手の状態が所定状態であるか否かを判定する。所定状態は、例えば、聞き手が興味を示す状態（興味度が高い状態、興味ありの状態）又は理解を示す状態（理解度が高い状態）の少なくとも一方を含む。所定状態は、聞き手の反応が良い状態とすることもできる。聞き手の状態は、聞き手のジェスチャ、あるいは聞き手の表情に基づいて判定することができる。なお、所定状態は、聞き手が興味を示す状態及び理解を示す状態に限定されない。また、所定状態の判定は、画像処理に限定されるものではなく、マイクなどを設けて、聞き手の音声（例えば、笑い声、拍手、無音状態など）を検出することによって所定状態を判定してもよく、画像処理に基づく判定とともに総合的に判定してもよい。
【００３３】
図２は本実施の形態のプレゼンテーション資料生成装置５０が判定する聞き手の状態の一例を示す説明図である。図２に示すように、画像処理（画像認識）によって取得した情報（取得情報）が、「うなずき」である場合、聞き手の状態は、興味あり又は理解度が高いと判定することができる。また、取得情報が、「首かしげ」である場合、聞き手の状態は、興味なし又は理解度が低いと判定することができる。また、取得情報が、「笑顔」である場合、聞き手の状態は、興味ありと判定することができ、取得情報が、「無表情」である場合、聞き手の状態は、興味なしと判定することができる。この場合、所定状態をプレゼンテーション用の資料（スライド）を生成するトリガ（資料生成トリガ）として設定することができる。
【００３４】
図３は本実施の形態のコンテンツＤＢ５７の構成要素の一例を示す説明図である。コンテンツＤＢ５７は、コンテンツ情報記憶部としての機能を有し、コンテンツと当該コンテンツを特定する特定情報としてのキーワードとを関連付けたコンテンツ情報を記憶する。図３に示すように、コンテンツＤＢ５７は、キーワード、コンテンツ種類、同一キーワード内の表示順番（表示順位とも称する）、コンテンツ内容などの各欄で構成される。
【００３５】
また、コンテンツＤＢ５７は、キーワード毎にコンテンツの表示順番を割り当てて記憶する。例えば、キーワードが商品Ａである場合、商品Ａに対して、表示順番が１のコンテンツ、表示順番が２のコンテンツ、表示順番が３のコンテンツの如く、キーワード毎にコンテンツの表示順番（例えば、１、２、３など）を割り当てることができる。例えば、商品Ａに対して、表示順番が２のコンテンツは、表示順番が１のコンテンツよりも商品Ａについての詳細な情報を含めることができる。
【００３６】
コンテンツが商品情報である場合、キーワードは、例えば、「開始」、「商品Ａ」、「商品Ｂ」、「商品Ｃ」、「商品Ｄ」、「終了」などとすることができる。複数のスライドで同じキーワードで特定されるコンテンツを使用することができ、この場合には、１枚目（１項目）のスライドは、表示順番が１のコンテンツが配置され、２枚目（１枚目の次に表示される）のスライドは、表示順番が２のコンテンツが配置される。以下、同様である。また、キーワードが異なれば、スライドは別個のものとなる。
【００３７】
図３に示すように、キーワード「開始」で特定されるコンテンツは、「タイトル」であり、同一キーワード内の表示順番が１しかないので、１枚のスライドに配置される。具体的なコンテンツの内容は、例えば、「シャンプーのご紹介」とすることができる。
【００３８】
また、キーワード「商品Ａ」で特定されるコンテンツは、同一キーワード内の表示順番が１、２となっているので、２枚のスライドに配置される。１枚目のスライドには、表示順番が１のコンテンツである、「絵図」（ピクチャＡ１．ｐｎｇ）、「絵図」（ピクチャＡ２．ｐｎｇ）、「タイトル」（商品Ａ）、「セリフ」（商品Ａは、この夏新登場したシャンプーで…）が配置される。また、２枚目のスライドには、表示順番が２のコンテンツである、「タイトル」（商品Ａのポイント）、「説明」（ポイント１：ｘｘｘｘｘ  ポイント２：ｘｘｘｘｘｘ）、「セリフ」（商品Ａの詳細を説明します。…）が配置される。以下、キーワード「商品Ｂ」、「商品Ｃ」、「商品Ｄ」、「終了」で特定されるコンテンツも同様である。なお、コンテンツＤＢ５７の構成は図３の例に限定されない。
【００３９】
抽出部５３は、状態判定部５２での判定結果及び表示されたスライドのコンテンツに係るキーワードに基づいて、コンテンツＤＢ５７から所要のコンテンツを抽出する。例えば、表示されたスライドに対する聞き手の状態が興味ありの状態である場合、表示されたスライドのコンテンツに係るキーワードに基づいて、さらに聞き手が興味を示すコンテンツを抽出することができる。コンテンツの抽出方法の詳細は後述する。
【００４０】
生成部５４は、抽出部５３で抽出したコンテンツを配置して、表示されたスライドの次に表示するスライドを生成する。上述の構成により、聞き手の反応に応じて、聞き手が興味を示すコンテンツを抽出して次に表示するスライドをリアルタイムかつ自動的に生成することができるので、効果的なプレゼンテーションを行うことができる。
【００４１】
前述のコンテンツＤＢ５７は、聞き手の性別又は年齢の少なくとも一つを含む属性毎に記憶することもできる。この場合、抽出部５３は、聞き手の属性に係るコンテンツ情報に基づいてコンテンツを抽出する。これにより、聞き手の属性に応じてコンテンツを抽出するので、さらに効果的なプレゼンテーション用の資料を生成することができる。
【００４２】
次に、抽出したコンテンツをスライド上で配置する方法について説明する。
【００４３】
図４は本実施の形態のレイアウトＤＢ５８の構成要素の一例を示す説明図である。レイアウトＤＢ５８は、配置情報記憶部としての機能を有し、コンテンツの数及び種類の少なくとも一つに対応付けた配置情報（レイアウト情報とも称する）を記憶する。図４に示すように、レイアウトＩＤ１は、コンテンツの種類が「タイトル」、「説明」及び「絵図」であり、コンテンツの数は、タイトル数が１、説明数が１、絵図数が１であり、具体的なレイアウトは、レイアウトＬ１である。レイアウトＩＤ２、ＩＤ３、ＩＤ４等についても同様である。なお、レイアウトＤＢ５８の構成は図４の例に限定されない。
【００４４】
図５はレイアウトＬ１の一例を示す説明図である。図５に示すように、レイアウトＬ１は、左上に「タイトル」が配置され、その下側に「説明」が配置され、その右側に「絵図」が配置されている。なお、図５の例は一例であって、コンテンツのレイアウトは図５の配置に限定されない。
【００４５】
レイアウト決定部５６は、決定部としての機能を有し、抽出部５３で抽出したコンテンツ及び配置情報に基づいて当該コンテンツの配置を決定する。これにより、コンテンツの数及び種類の少なくとも一つに応じてコンテンツのレイアウトを決定することができるので、聞き手にとって、見やすく理解しやすいプレゼンテーション用の資料を生成することができる。
【００４６】
また、レイアウト決定部５６は、聞き手の性別又は年齢の少なくとも一つを含む属性に基づいてコンテンツの配置を決定することもできる。聞き手の属性に応じてコンテンツの配置（レイアウト）を決定するので、さらに効果的なプレゼンテーション用の資料を生成することができる。
【００４７】
次に、コンテンツ優先度について説明する。
【００４８】
図６は本実施の形態のコンテンツ優先度ＤＢ５９の構成要素の一例を示す説明図である。コンテンツ優先度ＤＢ５９は、表示優先度記憶部としての機能を有し、一のキーワード（図６のｎ−１項のスライド）で特定されるコンテンツから他のキーワード（図６のｎ項のスライド）で特定されるコンテンツへの表示優先度を記憶する。図６に示すように、コンテンツ優先度ＤＢ５９は、表示中（ｎ項）のスライドのキーワード、ｎ−１項のスライド（ｎ項のスライドの１つ前のスライド）のキーワード、及び表示優先度としてのポイントの各欄で構成されている。
【００４９】
表示優先度は、例えば、得点、ポイントなどの数値で表すことができ、あるキーワード（図６のｎ−１項のスライドのキーワード）のコンテンツが配置されたスライドを表示した後に、別のキーワード（図６のｎ項のスライドのキーワード）のコンテンツが配置されたスライドを表示する場合の聞き手の反応の良さを示す。例えば、数値が大きいほど聞き手の反応が良いとすることができる。
【００５０】
例えば、聞き手の属性が２０代女性の場合、ｎ−１項のスライドのキーワードを商品Ａとし、ｎ項のスライドのキーワードを商品Ｂ、商品Ｃ、商品Ｄとすると、商品Ａから商品Ｂへのポイントは１であり、商品Ａから商品Ｃへのポイントは２であり、商品Ａから商品Ｄへのポイントは３である。同様に、聞き手の属性が３０代女性の場合、ｎ−１項のスライドのキーワードを商品Ａとし、ｎ項のスライドのキーワードを商品Ｂ、商品Ｃ、商品Ｄとすると、商品Ａから商品Ｂへのポイントは０であり、商品Ａから商品Ｃへのポイントは３であり、商品Ａから商品Ｄへのポイントは１である。
【００５１】
図６の例では、表示中のスライドのコンテンツがキーワード「商品Ａ」で特定されている場合、聞き手が２０代女性であれば、ポイントが１番大きい商品Ｄのスライドを生成すれば、さらに聞き手の良い反応が得られると考えられる。また、表示中のスライドのコンテンツがキーワード「商品Ａ」で特定されている場合、聞き手が３０代女性であれば、ポイントが１番大きい商品Ｃのスライドを生成すれば、さらに聞き手の良い反応が得られると考えられる。なお、ポイント数が同じキーワードが複数ある場合には、ランダムでキーワードを選択すればよい。
【００５２】
上述のように、コンテンツ優先度ＤＢ５９は、聞き手の性別又は年齢の少なくとも一つを含む属性毎に記憶することができる。この場合、抽出部５３は、聞き手の属性に係るコンテンツ優先度ＤＢ５９に基づいてコンテンツを抽出する。これにより、聞き手の属性に応じた表示優先度（ポイント）を用いてコンテンツを抽出するので、さらに効果的なプレゼンテーション用の資料を生成することができる。
【００５３】
次に、コンテンツ優先度ＤＢ５９の更新方法について説明する。コンテンツ優先度ＤＢ５９は、事前に生成する必要はなく、予めすべてのポイントの欄に０（ゼロ）を初期値として設定しておけばよい。
【００５４】
更新部５５は、表示優先度更新部としての機能を有する。表示されたスライド（例えば、ｎ項のスライド）に対する聞き手の状態が所定状態であると判定し、表示されたスライドのコンテンツに係るキーワードと、表示されたスライドの前に表示されたスライド（ｎ−１項のスライド）のコンテンツに係るキーワードとが異なる場合、更新部５５は、表示されたスライドの１つ前のスライドのコンテンツから表示されたスライドのコンテンツへのポイントを大きくすべく更新する。
【００５５】
例えば、キーワードが商品Ａで特定されるコンテンツのスライドからキーワードが商品Ｂで特定されるコンテンツのスライドへ遷移して表示した際に、聞き手の反応が良い場合（例えば、聞き手の状態が興味ありの状態）には、商品Ａから商品Ｂへのポイントに所定数（例えば、１）を加算して、ポイントを大きくする。例えば、ポイントの初期値が０の場合、０に１が加算されて、ポイントは１になる。
【００５６】
これにより、表示優先度（ポイント）を自動的に更新することができる。また、表示優先度を更新されるので、あるキーワードで特定されるコンテンツのスライドを表示した後に、別のキーワードで特定されるコンテンツを用いてスライドを作成する場合、聞き手の反応が良いと思われるキーワードのコンテンツを自動的に生成することができる。
【００５７】
次に、プレゼンテーション用の資料の生成の流れについて説明する。図７、図８及び図９は本実施の形態のプレゼンテーション資料生成装置５０によるプレゼンテーション用の資料の生成方法の一例を示す説明図である。図７、図８及び図９では、ステップ番号、各項（頁）のスライド、スライドの情報（キーワード、コンテンツ表示順番）、聞き手の反応に区分して表示している。
【００５８】
図７に示すように、ステップ１では、１項目のスライドが表示され、カメラ１１で聞き手を撮像して得られた情報に基づいて、聞き手の属性（例えば、３０代女性）を判定する。表示後、所要時間が経過すると、ステップ２で次の２項目のスライドが表示される。
【００５９】
２項目のスライドを表示中に聞き手の笑顔を検出したとする。状態判定部５２は、聞き手の状態が興味ありと判定し、聞き手の状態と資料生成トリガとが一致したので、資料追加処理を行う。具体的には、表示中の２項のキーワード（商品Ａ）と次に表示する予定の３項のキーワード（商品Ｂ）が異なり、商品Ａにはコンテンツ表示順番１より値の大きな、コンテンツ表示順番２のコンテンツがコンテンツＤＢ５７（図３参照）に存在するので、抽出部５３は、コンテンツ表示順番２のコンテンツを抽出（収集）する。そして、抽出したコンテンツの種類、数に基づいて、レイアウトＤＢ５８からレイアウトを取得し、取得したレイアウトに基づいて各コンテンツを配置してスライドを生成（資料を追加）する。生成したスライドは、２項目の次、すなわち３項目の前に、３項目として追加する。
【００６０】
上述のように、抽出部５３は、状態判定部５２で聞き手の状態が所定状態であると判定し、表示されたスライドのコンテンツに係るキーワードと同じキーワードで特定されるコンテンツを抽出する場合、表示順番（表示順位）に基づいてコンテンツを抽出する。
【００６１】
例えば、表示されたスライドのキーワードが商品Ａであり、コンテンツの表示順番が１であるとする。表示されたスライドに対する聞き手の状態が興味ありの状態であると判定され、キーワードが商品Ａで特定されるコンテンツを抽出する場合、次の表示順番である表示順番が２のコンテンツを抽出する。これにより、ある商品に関するスライドを表示したときに、聞き手の反応が良い場合（例えば、興味を示す場合など）には、同じ商品について、さらに詳細なコンテンツで構成されるスライドを生成することができるので、さらに効果的なプレゼンテーションを行うことができる。
【００６２】
より具体的には、抽出部５３は、表示されたスライドのコンテンツの表示順番の次の表示順番が、当該コンテンツに係るキーワードに割り当てられている場合、当該キーワードと同じキーワードで特定されるとともに次の表示順番が割り当てられたコンテンツを抽出する。
【００６３】
例えば、表示されたスライドのキーワードが商品Ａであり、表示されたスライドのコンテンツの表示順番が１であるとする。商品Ａに関連付けられたコンテンツに表示順番が２のコンテンツがある場合、抽出部５３は、表示されたスライドのコンテンツの表示順番の次の表示順番である表示順番２のコンテンツを抽出（収集）する。これにより、ある商品に関するスライドを表示したときに、聞き手の反応が良い場合（例えば、興味を示す場合など）には、同じ商品について、さらに詳細なコンテンツで構成されるスライドを生成することができるので、さらに効果的なプレゼンテーションを行うことができる。
【００６４】
図８に示すように、ステップ３でのスライドは、前述のステップ２において自動生成されたスライドである。図８に示すように、ステップ３で３項目のスライドを表示中に聞き手の笑顔を検出したとする。状態判定部５２は、聞き手の状態が興味ありと判定し、聞き手の状態と資料生成トリガとが一致したので、資料追加処理を行う。具体的には、表示中の３項のキーワード（商品Ａ）と次に表示する予定の４項のキーワード（商品Ｂ）が異なり、商品Ａにはコンテンツ表示順番２より値の大きなコンテンツがコンテンツＤＢ５７（図３参照）に存在しないので、抽出部５３は、コンテンツ優先度ＤＢ５９（図６参照）に基づいて、ポイントが最も大きいキーワードが商品Ｃであって、コンテンツ表示順番が１のコンテンツを抽出（収集）する。そして、抽出したコンテンツの種類、数に基づいて、レイアウトＤＢ５８からレイアウトを取得し、取得したレイアウトに基づいて各コンテンツを配置してスライドを生成（資料を追加）する。生成したスライドは、３項目の次、すなわち４項目の前に、４項目として追加する。なお、ステップ３では、表示中の３項のキーワード（商品Ａ）と１つ前の２項のキーワード（商品Ａ）が同じであるので、コンテンツ優先度ＤＢ５９を更新しない。
【００６５】
上述のように、抽出部５３は、状態判定部５２で聞き手の状態が所定状態であると判定し、表示されたスライドのコンテンツに係るキーワードと異なるキーワードで特定されるコンテンツを抽出する場合、ポイントに基づいてコンテンツを抽出する。
【００６６】
例えば、表示されたスライドのコンテンツに係るキーワードを商品Ａとすると、次に表示するスライドのコンテンツは、商品Ｂよりもポイントが大きい商品Ｃで特定されるコンテンツを抽出する。これにより、表示中のスライドのキーワードと異なるキーワードのスライドを生成する場合、聞き手の反応が最も良いであろうと思われるコンテンツを抽出することができ、効果的なプレゼンテーション用の資料を生成することができる。
【００６７】
より具体的には、抽出部５３は、表示されたスライドのコンテンツの表示順番の次の表示順番が、当該コンテンツに係るキーワードに割り当てられていない場合、当該キーワードと異なるキーワードで特定されるとともにポイントに基づくコンテンツを抽出する。
【００６８】
例えば、表示されたスライドのキーワードが商品Ａであり、表示されたスライドのコンテンツの表示順番が２であるとする。商品Ａに関連付けられたコンテンツの表示順番が１、２である場合、表示順番２の次の表示順番３が割り当てられていないので（表示順番２が最後の表示順番であるので）、商品Ａと異なるキーワードであって、商品Ａからのポイントが最も大きいキーワード（例えば、商品Ｃ）で特定されるコンテンツを抽出（収集）する。これにより、ある商品に関するスライドを表示したときに、聞き手の反応が良く（例えば、興味を示す場合など）、別の商品についてのスライドを生成する場合に、どの商品のスライドを生成すればよいかを、聞き手の反応の良さに基づいて決めることができるので、効果的なプレゼンテーション用の資料を生成することができる。
【００６９】
図９に示すように、ステップ４でのスライドは、前述のステップ３において自動生成されたスライドである。図９に示すように、ステップ４で４項目のスライドを表示中に聞き手の笑顔を検出したとする。表示中の４項のキーワード（商品Ｃ）と１つ前の３項のキーワード（商品Ａ）が異なるため、商品Ａから商品Ｃへのポイント３に１を加算することによってコンテンツ優先度ＤＢ５９を更新する。
【００７０】
ステップ５で５項目のスライドを表示中に聞き手の笑顔を検出したとする。表示中の５項のキーワード（商品Ｂ）と１つ前の４項のキーワード（商品Ｃ）が異なるため、商品Ｃから商品Ｂへのポイント０に１を加算することによってコンテンツ優先度ＤＢ５９を更新する。
【００７１】
ステップ５で５項目のスライドを表示中に聞き手の笑顔を検出すると、状態判定部５２は、聞き手の状態が興味ありと判定し、聞き手の状態と資料生成トリガとが一致したので、資料追加処理を行う。具体的には、表示中の５項のキーワード（商品Ｂ）と次に表示する予定の６項のキーワード（商品Ｂ）が同じであるので、さらに次の７項のキーワード（終了）を読み込む。表示中の５項のキーワード（商品Ｂ）と読み込んだ７項のキーワード（終了）が異なり、商品Ｂにはコンテンツ表示順番２より値の大きなコンテンツがコンテンツＤＢ５７（図３参照）に存在しないので、抽出部５３は、コンテンツ優先度ＤＢ５９に基づいて、ポイントが最も大きいキーワード（例えば、商品Ｄとする）であって、コンテンツ表示順番が１のコンテンツを抽出（収集）する。そして、抽出したコンテンツの種類、数に基づいて、レイアウトＤＢ５８からレイアウトを取得し、取得したレイアウトに基づいて各コンテンツを配置してスライドを生成（資料を追加）する。生成したスライドは、６項目の次、すなわち７項目の前に、７項目として追加する。
【００７２】
次に、本実施の形態のプレゼンテーション資料生成装置５０による処理手順について説明する。図１０及び図１１は本実施の形態のプレゼンテーション資料生成装置５０による処理手順の一例を示すフローチャートである。以下では、便宜上、処理の主体を制御部５１として説明する。制御部５１は資料生成トリガを取得し（Ｓ１１）、スライド追加枚数の上限値を取得する（Ｓ１２）。
【００７３】
制御部５１は、スライドを再生し（Ｓ１３）、スライドのコンテンツを取得する（Ｓ１４）。なお、スライドのコンテンツ（スライド中の文字及び絵図など）の取得は、ＯＣＲ等の既存技術を用いることができる。制御部５１は、聞き手（人）を検知したか否かを判定し（Ｓ１５）、聞き手を検知していない場合（Ｓ１５でＮＯ）、ステップＳ１３の処理を行う。
【００７４】
聞き手を検知した場合（Ｓ１５でＹＥＳ）、制御部５１は、聞き手の属性を判定し（Ｓ１６）、聞き手の状態が所定状態であるか否か（資料生成トリガに一致するか否か）を判定する（Ｓ１７）。聞き手の状態が所定状態でない場合（Ｓ１７でＮＯ）、制御部５１は、ステップＳ１３の処理を行う。
【００７５】
聞き手の状態が所定状態である場合（Ｓ１７でＹＥＳ）、制御部５１は、現項（表示中のスライド）及び前項（１つ前のスライド）のキーワードを取得し（Ｓ１８）、現項（表示中のスライド）のキーワードと前項（１つ前のスライド）のキーワードは異なるか否かを判定する（Ｓ１９）。
【００７６】
現項のキーワードと前項のキーワードが異なる場合（Ｓ１９でＹＥＳ）、制御部５１は、コンテンツ優先度ＤＢを更新する（Ｓ２０）。現項のキーワードと前項のキーワードが同じである場合（Ｓ１９でＮＯ）、制御部５１は、ステップＳ２０の処理を行うことなく、後述のステップＳ２１の処理を行う。
【００７７】
制御部５１は、現項でスライドを自動生成したか否かを判定し（Ｓ２１）、自動生成した場合（Ｓ２１でＹＥＳ）、ステップＳ１３の処理を行う。現項でスライドを自動生成していない場合（Ｓ２１でＮＯ）、制御部５１は、スライドの追加枚数が上限値に等しいか否かを判定する（Ｓ２２）。スライドの追加枚数が上限値に等しくない場合（Ｓ２２でＮＯ）、制御部５１は、次項（ｎ＋１）のキーワードを取得し（Ｓ２３）、現項（ｎ）のキーワードと次項（ｎ＋１）のキーワードとが等しいか否かを判定する（Ｓ２４）。
【００７８】
現項（ｎ）のキーワードと次項（ｎ＋１）のキーワードとが等しい場合（Ｓ２４でＹＥＳ）、制御部５１は、ｎに１を加算し（Ｓ２５）、ステップＳ２３の処理を行う。これにより、さらに次の項のキーワードを取得する。現項（ｎ）のキーワードと次項（ｎ＋１）のキーワードとが等しくない場合（Ｓ２４でＮＯ）、制御部５１は、現項（ｎ）のキーワードと同じキーワードで現項のコンテンツ表示順番より大きな表示順番のコンテンツが存在するか否かを判定する（Ｓ２６）。
【００７９】
現項のコンテンツ表示順番より大きな表示順番のコンテンツが存在する場合（Ｓ２６でＹＥＳ）、制御部５１は、既存のスライドに該当コンテンツが含まれているか否かを判定し（Ｓ２７）、該当コンテンツが含まれている場合（Ｓ２７でＹＥＳ）、ステップＳ１３の処理を行う。
【００８０】
該当コンテンツが含まれていない場合（Ｓ２７でＮＯ）、制御部５１は、該当するコンテンツを抽出し（Ｓ２８）、次項のスライドを生成し（Ｓ２９）、ステップＳ１３の処理を行う。現項のコンテンツ表示順番より大きな表示順番のコンテンツが存在しない場合（Ｓ２６でＮＯ）、制御部５１は、既存のスライドに含まれていないキーワードが存在するか否かを判定する（Ｓ３０）。
【００８１】
既存のスライドに含まれていないキーワードが存在しない場合（Ｓ３０でＮＯ）、制御部５１は、ステップＳ１３の処理を行う。既存のスライドに含まれていないキーワードが存在する場合（Ｓ３０でＹＥＳ）、制御部５１は、現項のキーワードと異なるキーワードのコンテンツを抽出（収集）し（Ｓ３１）、ステップＳ２９の処理を行う。
【００８２】
スライドの追加枚数が上限値に等しい場合（Ｓ２２でＹＥＳ）、制御部５１は、現項が最終項であるか否かを判定し（Ｓ３２）、最終項でない場合（Ｓ３２でＮＯ）、ステップＳ１３の処理を行う。最終項である場合（Ｓ３２でＹＥＳ）、制御部５１は、処理を終了する。
【００８３】
本実施の形態のプレゼンテーション資料生成装置５０は、ＣＰＵ（プロセッサ）、ＲＡＭ（メモリ）などを備えた汎用コンピュータを用いて実現することもできる。すなわち、図１０及び図１１に示すような、各処理の手順を定めたコンピュータプログラムをコンピュータに備えられたＲＡＭ（メモリ）にロードし、コンピュータプログラムをＣＰＵ（プロセッサ）で実行することにより、コンピュータ上でプレゼンテーション資料生成装置５０を実現することができる。
【００８４】
本実施の形態によれば、聞き手のジェスチャ（うなずき、首かしげ等）又は表情（笑顔、無表情など）に基づいて聞き手の状態（興味度、理解度など）を判定（推定）し、リアルタイムにプレゼンテーション用の資料（スライド）を自動生成・変更を行う。これにより、聞き手の反応を考慮して、効果的なプレゼンテーション用の資料を生成することができ、聞き手の興味や関心を惹くことができるプレゼンテーションを行うことができる。
【００８５】
本実施の形態では、聞き手の属性によってコンテンツのレイアウトを変える構成であったが、これに限定されるものではなく、聞き手の反応によってレイアウトを変えるようにしてもよい。また、聞き手が年配者の場合には、文字や絵図を大きくしてもよく、あるいは、聞き手が子供の場合には、アニメーションやキャラクタを表示させてもよい。
【００８６】
本実施の形態では、聞き手の反応が良い場合に、表示中のスライドのキーワードと同じキーワードであって、さらに詳細なコンテンツ（例えば、表示順番が大きいコンテンツ）がある場合には、当該コンテンツを抽出して次に表示するスライドを生成することができるが、これに限定されるものではなく、例えば、聞き手の反応が良い場合には、表示中のスライドのキーワードとは異なる別のキーワードで特定されるコンテンツを抽出して、次に表示するスライドを生成してもよい。また、聞き手の反応が良くない場合に、表示中のスライドのキーワードとは異なる別のキーワードで特定されるコンテンツを抽出して、次に表示するスライドを生成してもよい。
【００８７】
また、本実施の形態において、制御部５１は、変更部としての機能を有し、状態判定部５２での判定結果に基づいて、表示されたスライドの表示時間を変更することができる。例えば、聞き手の反応が良くない場合に、表示中のスライドのセリフ等を省略して表示時間を短くする（頁送りのタイミングを早める）こともできる。これにより、聞き手の興味や関心がない資料を説明し続けることを防止し、聞き手の興味などが低下することを防止することができる。
【００８８】
本実施の形態に係るプレゼンテーション資料生成装置は、コンテンツが配置された複数のスライドで構成されるプレゼンテーション用の資料を生成するプレゼンテーション資料生成装置であって、コンテンツと該コンテンツを特定する特定情報とを関連付けたコンテンツ情報を記憶するコンテンツ情報記憶部と、表示されたスライドに対する聞き手の状態が所定状態であるか否かを判定する判定部と、該判定部での判定結果及び前記表示されたスライドのコンテンツに係る特定情報に基づいて、前記コンテンツ情報記憶部から所要のコンテンツを抽出する抽出部と、該抽出部で抽出したコンテンツを配置して、前記表示されたスライドの次に表示するスライドを生成する生成部とを備えることを特徴とする。
【００８９】
本実施の形態に係るプレゼンテーション資料生成システムは、前述の実施の形態に係るプレゼンテーション資料生成装置と、該プレゼンテーション資料生成装置が生成したスライドを表示する表示装置とを備えることを特徴とする。
【００９０】
本実施の形態に係るプレゼンテーション資料生成システムは、聞き手を撮像する撮像装置を備え、該撮像装置又は前記プレゼンテーション資料生成装置のいずれかは、前記撮像装置で撮像して得られた聞き手の画像に基づいて聞き手の状態を取得することを特徴とする。
【００９１】
本実施の形態に係るコンピュータプログラムは、コンピュータに、コンテンツが配置された複数のスライドで構成されるプレゼンテーション用の資料を生成させるためのコンピュータプログラムであって、コンピュータに、表示されたスライドに対する聞き手の状態が所定状態であるか否かを判定する処理と、該判定する処理の判定結果及び前記表示されたスライドのコンテンツに係る特定情報に基づいて、コンテンツと該コンテンツを特定する特定情報とを関連付けたコンテンツ情報から所要のコンテンツを抽出する処理と、抽出したコンテンツを配置して、前記表示されたスライドの次に表示するスライドを生成する処理とを実行させることを特徴とする。
【００９２】
本実施の形態に係るプレゼンテーション資料生成方法は、コンテンツが配置された複数のスライドで構成されるプレゼンテーション用の資料を生成するプレゼンテーション資料生成方法であって、表示されたスライドに対する聞き手の状態が所定状態であるか否かを判定し、判定結果及び前記表示されたスライドのコンテンツに係る特定情報に基づいて、コンテンツと該コンテンツを特定する特定情報とを関連付けたコンテンツ情報から所要のコンテンツを抽出し、抽出されたコンテンツを配置して、前記表示されたスライドの次に表示するスライドを生成することを特徴とする。
【００９３】
プレゼンテーション用の資料は、複数のスライド（１頁分の資料）で構成され、各スライドは、１又は複数のコンテンツで構成され、各コンテツが１枚のスライド上で配置されている。コンテンツは、例えば、タイトル、説明及びセリフなどの文字、並びに絵図を含む。なお、セリフは音声によって出力することができる。特定情報は、コンテンツを特定するものであり、キーワードとも称する。キーワードは、どのような情報のコンテンツであるかを示すものであり、例えば、コンテンツが商品情報に関するものである場合、キーワードは、商品Ａ、商品Ｂの如くとすることができる。コンテンツ情報は、キーワードとコンテンツとを関連付けた情報であり、例えば、キーワードが商品Ａであるコンテンツには、コンテンツ情報には、商品Ａに関するタイトル、説明、セリフ及び絵図の少なくとも一つが含まれる。また、各コンテンツの内容（例えば、タイトル、説明、セリフ及び絵図それぞれの具体的な内容）もキーワードに関連付けられる。
【００９４】
判定部は、表示されたスライドに対する聞き手の状態が所定状態であるか否かを判定する。所定状態は、例えば、聞き手が興味を示す状態（興味度が高い状態、興味ありの状態）又は理解を示す状態（理解度が高い状態）の少なくとも一方を含む。所定状態は、聞き手の反応が良い状態とすることもできる。聞き手の状態は、例えば、撮像装置で聞き手を撮像して得られた画像を画像処理することによって、聞き手のジェスチャ（例えば、うなずき、首かしげ等）、あるいは聞き手の表情（例えば、笑顔、無表情等）に基づいて判定することができる。
【００９５】
抽出部は、判定部での判定結果及び表示されたスライドのコンテンツに係る特定情報に基づいて、コンテンツ情報記憶部から所要のコンテンツを抽出する。例えば、表示されたスライドに対する聞き手の状態が興味ありの状態である場合、表示されたスライドのコンテンツに係るキーワードに基づいて、さらに聞き手が興味を示すコンテンツを抽出することができる。
【００９６】
生成部は、抽出したコンテンツを配置して、表示されたスライドの次に表示するスライドを生成する。上述の構成により、聞き手の反応に応じて、聞き手が興味を示すコンテンツを抽出して次に表示するスライドをリアルタイムかつ自動的に生成することができるので、効果的なプレゼンテーションを行うことができる。
【００９７】
本実施の形態に係るプレゼンテーション資料生成装置は、前記コンテンツ情報記憶部は、前記特定情報毎にコンテンツの表示順位を割り当てて記憶し、前記抽出部は、前記判定部で聞き手の状態が所定状態であると判定し、前記表示されたスライドのコンテンツに係る特定情報と同じ特定情報で特定されるコンテンツを抽出する場合、前記表示順位に基づいてコンテンツを抽出することを特徴とする。
【００９８】
コンテンツ情報記憶部は、特定情報（キーワード）毎にコンテンツの表示順位を割り当てて記憶する。例えば、キーワードが商品Ａである場合、商品Ａに対して、表示順位が１のコンテンツ、表示順位が２のコンテンツ、表示順位が３のコンテンツの如く、キーワード毎にコンテンツの表示順位（例えば、１、２、３など）を割り当てることができる。例えば、商品Ａに対して、表示順序が２のコンテンツは、表示順位が１のコンテンツよりも商品Ａについての詳細な情報を含めることができる。
【００９９】
抽出部は、判定部で聞き手の状態が所定状態であると判定し、表示されたスライドのコンテンツに係る特定情報と同じ特定情報で特定されるコンテンツを抽出する場合、表示順位に基づいてコンテンツを抽出する。
【０１００】
例えば、表示されたスライドのキーワードが商品Ａであり、コンテンツの表示順位が１であるとする。表示されたスライドに対する聞き手の状態が興味ありの状態であると判定され、キーワードが商品Ａで特定されるコンテンツを抽出する場合、次の表示順位である表示順位が２のコンテンツを抽出する。これにより、ある商品に関するスライドを表示したときに、聞き手の反応が良い場合（例えば、興味を示す場合など）には、同じ商品について、さらに詳細なコンテンツで構成されるスライドを生成することができるので、さらに効果的なプレゼンテーションを行うことができる。
【０１０１】
本実施の形態に係るプレゼンテーション資料生成装置は、前記抽出部は、前記表示されたスライドのコンテンツの表示順位の次の表示順位が、該コンテンツに係る特定情報に割り当てられている場合、該特定情報と同じ特定情報で特定されるとともに前記次の表示順位が割り当てられたコンテンツを抽出することを特徴とする。
【０１０２】
抽出部は、表示されたスライドのコンテンツの表示順位の次の表示順位が、当該コンテンツに係る特定情報に割り当てられている場合、当該特定情報と同じ特定情報で特定されるとともに次の表示順位が割り当てられたコンテンツを抽出する。
【０１０３】
例えば、表示されたスライドのキーワードが商品Ａであり、表示されたスライドのコンテンツの表示順位が１であるとする。商品Ａに関連付けられたコンテンツに表示順位が２のコンテンツがある場合、抽出部は、表示されたスライドのコンテンツの表示順位の次の表示順位である表示順位２のコンテンツを抽出（収集）する。これにより、ある商品に関するスライドを表示したときに、聞き手の反応が良い場合（例えば、興味を示す場合など）には、同じ商品について、さらに詳細なコンテンツで構成されるスライドを生成することができるので、さらに効果的なプレゼンテーションを行うことができる。
【０１０４】
本実施の形態に係るプレゼンテーション資料生成装置は、前記コンテンツ情報記憶部は、聞き手の性別又は年齢の少なくとも一つを含む属性毎にコンテンツ情報を記憶し、前記抽出部は、聞き手の属性に係るコンテンツ情報に基づいてコンテンツを抽出する。
【０１０５】
コンテンツ情報記憶部は、聞き手の性別又は年齢の少なくとも一つを含む属性毎にコンテンツ情報を記憶する。抽出部は、聞き手の属性に係るコンテンツ情報に基づいてコンテンツを抽出する。聞き手の属性に応じてコンテンツを抽出するので、さらに効果的なプレゼンテーション用の資料を生成することができる。
【０１０６】
本実施の形態に係るプレゼンテーション資料生成装置は、一の特定情報で特定されるコンテンツから他の特定情報で特定されるコンテンツへの表示優先度を記憶する表示優先度記憶部を備え、前記抽出部は、前記判定部で聞き手の状態が所定状態であると判定し、前記表示されたスライドのコンテンツに係る特定情報と異なる特定情報で特定されるコンテンツを抽出する場合、前記表示優先度に基づいてコンテンツを抽出することを特徴とする。
【０１０７】
表示優先度記憶部は、一の特定情報で特定されるコンテンツから他の特定情報によって特定されるコンテンツへの表示優先度を記憶する。表示優先度は、例えば、得点、ポイントなどの数値で表すことができ、あるキーワードのコンテンツが配置されたスライドを表示した後に、別のキーワードのコンテンツが配置されたスライドを表示する場合の聞き手の反応の良さを示す。例えば、数値が大きいほど聞き手の反応が良いとすることができる。一の特定情報（キーワード）を商品Ａとし、他の特定情報を商品Ｂ、商品Ｃとすると、例えば、商品Ａから商品Ｂへの表示優先度を１、商品Ａから商品Ｃへの表示優先度を２とすることができる。
【０１０８】
抽出部は、判定部で聞き手の状態が所定状態であると判定し、表示されたスライドのコンテンツに係る特定情報と異なる特定情報で特定されるコンテンツを抽出する場合、表示優先度に基づいてコンテンツを抽出する。表示されたスライドのコンテンツに係るキーワードを商品Ａとすると、次に表示するスライドのコンテンツは、商品Ｂよりも表示優先度が大きい商品Ｃで特定されるコンテンツを抽出する。これにより、表示中のスライドのキーワードと異なるキーワードのスライドを生成する場合、聞き手の反応が最も良いであろうと思われるコンテンツを抽出することができ、効果的なプレゼンテーション用の資料を生成することができる。
【０１０９】
本実施の形態に係るプレゼンテーション資料生成装置は、前記抽出部は、前記表示されたスライドのコンテンツの表示順位の次の表示順位が、該コンテンツに係る特定情報に割り当てられていない場合、該特定情報と異なる特定情報で特定されるとともに前記表示優先度に基づくコンテンツを抽出することを特徴とする。
【０１１０】
抽出部は、表示されたスライドのコンテンツの表示順位の次の表示順位が、当該コンテンツに係る特定情報に割り当てられていない場合、当該特定情報と異なる特定情報で特定されるとともに表示優先度に基づくコンテンツを抽出する。
【０１１１】
例えば、表示されたスライドのキーワードが商品Ａであり、表示されたスライドのコンテンツの表示順位が２であるとする。商品Ａに関連付けられたコンテンツの表示順位が１、２である場合、表示順位２の次の表示順位３が割り当てられていないので（表示順位２が最後の表示順位であるので）、商品Ａと異なるキーワードであって、商品Ａからの表示優先度が最も大きいキーワード（例えば、商品Ｃ）で特定されるコンテンツを抽出（収集）する。これにより、ある商品に関するスライドを表示したときに、聞き手の反応が良く（例えば、興味を示す場合など）、別の商品についてのスライドを生成する場合に、どの商品のスライドを生成すればよいかを、聞き手の反応の良さに基づいて決めることができるので、効果的なプレゼンテーション用の資料を生成することができる。
【０１１２】
本実施の形態に係るプレゼンテーション資料生成装置は、前記表示優先度記憶部は、聞き手の性別又は年齢の少なくとも一つを含む属性毎に表示優先度を記憶し、前記抽出部は、聞き手の属性に係る表示優先度に基づいてコンテンツを抽出する。
【０１１３】
表示優先度記憶部は、聞き手の性別又は年齢の少なくとも一つを含む属性毎に表示優先度を記憶する。抽出部は、聞き手の属性に係る表示優先度に基づいてコンテンツを抽出する。聞き手の属性に応じた表示優先度を用いてコンテンツを抽出するので、さらに効果的なプレゼンテーション用の資料を生成することができる。
【０１１４】
本実施の形態に係るプレゼンテーション資料生成装置は、前記判定部で表示されたスライドに対する聞き手の状態が所定状態であると判定し、前記表示されたスライドのコンテンツに係る他の特定情報と、前記表示されたスライドの前に表示されたスライドのコンテンツに係る一の特定情報とが異なる場合、前記一の特定情報で特定されるコンテンツから前記他の特定情報で特定されるコンテンツへの表示優先度を大きくすべく更新する表示優先度更新部を備えることを特徴とする。
【０１１５】
判定部で表示されたスライドに対する聞き手の状態が所定状態であると判定し、表示されたスライドのコンテンツに係る他の特定情報と、表示されたスライドの前に表示されたスライドのコンテンツに係る一の特定情報とが異なる場合、表示優先度更新部は、当該一の特定情報で特定されるコンテンツ（例えば、表示されたスライドの１つ前のスライドのコンテンツ）から当該他の特定情報で特定されるコンテンツ（表示されたスライドのコンテンツ）への表示優先度を大きくすべく更新する。
【０１１６】
例えば、キーワードが商品Ａで特定されるコンテンツのスライドからキーワードが商品Ｂで特定されるコンテンツのスライドへ遷移して表示した際に、聞き手の反応が良い場合（例えば、聞き手の状態が興味ありの状態）には、商品Ａから商品Ｂへの表示優先度に所定数（例えば、１）を加算して、表示優先度を大きくする。これにより、表示優先度を自動的に更新することができる。また、表示優先度を更新されるので、あるキーワードで特定されるコンテンツのスライドを表示した後に、別のキーワードで特定されるコンテンツを用いてスライドを作成する場合、聞き手の反応が良いと思われるキーワードのコンテンツを自動的に生成することができる。
【０１１７】
本実施の形態に係るプレゼンテーション資料生成装置は、コンテンツの数及び種類の少なくとも一つに対応付けた配置情報を記憶する配置情報記憶部と、前記抽出部で抽出したコンテンツ及び前記配置情報に基づいて該コンテンツの配置を決定する決定部とを備えることを特徴とする。
【０１１８】
配置情報記憶部は、コンテンツの数及び種類の少なくとも一つに対応付けた配置情報（レイアウト情報とも称する）を記憶する。決定部は、抽出部で抽出したコンテンツ及び配置情報に基づいて当該コンテンツの配置を決定する。これにより、コンテンツの数及び種類の少なくとも一つに応じてコンテンツのレイアウトを決定することができるので、聞き手にとって、見やすく理解しやすいプレゼンテーション用の資料を生成することができる。
【０１１９】
本実施の形態に係るプレゼンテーション資料生成装置は、前記決定部は、聞き手の性別又は年齢の少なくとも一つを含む属性に基づいてコンテンツの配置を決定する。
【０１２０】
決定部は、聞き手の性別又は年齢の少なくとも一つを含む属性に基づいてコンテンツの配置を決定する。聞き手の属性に応じてコンテンツの配置（レイアウト）を決定するので、さらに効果的なプレゼンテーション用の資料を生成することができる。
【０１２１】
本実施の形態に係るプレゼンテーション資料生成装置は、前記所定状態は、聞き手が興味を示す状態又は理解を示す状態の少なくとも一方を含むことを特徴とする。
【０１２２】
所定状態は、聞き手が興味を示す状態又は理解を示す状態の少なくとも一方を含む。聞き手の反応を考慮することができるので、効果的なプレゼンテーション用の資料を生成することができる。
【０１２３】
本実施の形態に係るプレゼンテーション資料生成装置は、前記判定部での判定結果に基づいて、前記表示されたスライドの表示時間を変更する変更部を備えることを特徴とする。
【０１２４】
変更部は、判定部での判定結果に基づいて、表示されたスライドの表示時間を変更する。例えば、聞き手の反応が良くない場合に、表示中のスライドのセリフ等を省略して表示時間を短くする（頁送りのタイミングを早める）こともできる。これにより、聞き手の興味や関心がない資料を説明し続けることを防止し、聞き手の興味などが低下することを防止することができる。
【符号の説明】
【０１２５】
１０  人型ロボット
１１  カメラ
２０  表示装置
５０  プレゼンテーション資料生成装置
５１  制御部
５２  状態判定部
５３  抽出部
５４  生成部
５５  更新部
５６  レイアウト決定部
５７  コンテンツＤＢ
５８  レイアウトＤＢ
５９  コンテンツ優先度ＤＢ
６０  インタフェース部
【図１】
2018055270.tif 000003
【図２】
2018055270.tif 000004
【図３】
2018055270.tif 000005
【図４】
2018055270.tif 000006
【図５】
2018055270.tif 000007
【図６】
2018055270.tif 000008
【図７】
2018055270.tif 000009
【図８】
2018055270.tif 000010
【図９】
2018055270.tif 000011
【図１０】
2018055270.tif 000012
【図１１】
2018055270.tif 000013